(57)【特許請求の範囲】
【請求項１】
移動体に搭載され、
選択的な操作が可能とされた複数のプリセットボタンと、
所定の複数の物理チャンネルにおける該当する物理チャンネルが割り当てられた受信可能な放送局を、前記プリセットボタンに対応付けて登録するプリセット手段と、
このプリセット手段によって登録された前記放送局を、この放送局が対応付けられた前記プリセットボタンの操作に応じて選局する選局手段と、
この選局手段によって選局された前記放送局から受信した当該放送局の放送内容を再生する再生手段と、
この再生手段による再生中の放送内容に対応する第１の放送局が受信不可能となった場合に、前記複数の物理チャンネルの中から、前記第１の放送局と同系列の受信可能な第２の放送局を、前記第１の放送局の放送内容の再生中に前記第１の放送局に割り当てられていた第１の物理チャンネルを始点としてチャンネル番号順にサーチし、前記第２の放送局が見つかった場合にはその時点で前記サーチを終了する第１の系列局サーチ手段と、
この第１の系列局サーチ手段によって前記第２の放送局が見つけられた場合に、前記プリセット手段に対して、前記第２の放送局を、前記複数のプリセットボタンにおける前記第１の放送局の放送内容の再生中に前記第１の放送局が対応付けて登録されていた第１のプリセットボタンに対応付けて登録させるための制御を行うプリセット制御手段と
を備えたデジタル放送受信装置であって、
前記第１の放送局の放送内容の再生中に前記複数のプリセットボタンにおける前記第１のプリセットボタン以外のプリセットボタンに対応付けて登録されていた少なくとも１つの第３の放送局があった場合に、前記第２の放送局のサーチ期間中に、前記第３の放送局と同系列の受信可能な第４の放送局を、前記第２の放送局のサーチ先と同一の前記物理チャンネルをサーチ先として、前記第２の放送局のサーチと並行して前記チャンネル番号順にサーチする第２の系列局サーチ手段を備え、
前記プリセット制御手段は、前記第２の系列局サーチ手段によって前記第４の放送局が見つけられた場合には、前記プリセット手段に対して、前記第４の放送局を、前記第３の放送局が対応付けて登録されていた前記第１のプリセットボタン以外のプリセットボタンに対応付けて登録させるための制御を行うこと
を特徴とするデジタル放送受信装置。
【請求項２】
前記第２の系列局サーチ手段は、前記第２の放送局のサーチ期間中に、前記複数の物理チャンネルのすべてをサーチ先とした前記第４の放送局のサーチが完了しなかった場合には、前記第２の放送局の放送内容の再生開始後における当該放送内容の所定の切り替わり時点からの所定期間中に、前記第４の放送局を、前記複数の物理チャンネルにおける前記第４の放送局のサーチが未実行の残余の物理チャンネルをサーチ先として、前記第２の放送局に割り当てられている第２の物理チャンネルの次のチャンネル番号に該当する第３の物理チャンネルを始点としてチャンネル番号順に再度サーチすることが可能とされていること
を特徴とする請求項１に記載のデジタル放送受信装置。
【請求項３】
前記第２の系列局サーチ手段は、前記第２の放送局の放送内容の再生開始後の最初の前記所定期間中に、前記残余の物理チャンネルのすべてをサーチ先とした前記第４の放送局のサーチが完了しなかった場合には、前記残余の物理チャンネルのすべてをサーチ先とした前記第４の放送局のサーチが完了するまで、前記最初の所定期間の後の新たな前記所定期間の度に、前記第４の放送局を、前記残余の物理チャンネルにおける前記第４の放送局のサーチが未実行の更に残余の物理チャンネルをサーチ先として、前回の前記所定期間中の前記第４の放送局のサーチにおける最後のサーチ先となった第４の物理チャンネルの次のチャンネル番号に該当する第５の物理チャンネルを始点としてチャンネル番号順に再度サーチする処理を繰り返すことが可能とされていること
を特徴とする請求項２に記載のデジタル放送受信装置。
【請求項４】
前記切り替わり時点は、前記第２の放送局の放送番組からＣＭへの切り替わり時点を含み、
前記ＣＭへの切り替わり時点に対応する前記所定期間は、前記ＣＭの放送期間とされていること
を特徴とする請求項２または請求項３に記載のデジタル放送受信装置。
【発明の詳細な説明】
【技術分野】
【０００１】
本発明は、デジタル放送受信装置に係り、特に、プリセットボタンの操作によって選局された放送局の放送内容を再生するのに好適なデジタル放送受信装置に関する。
【背景技術】
【０００２】
従来から、車両等の移動体に搭載されたデジタル放送受信装置においては、移動体が位置する地域における受信可能な放送局を、複数の物理チャンネル（例えば、地上波デジタル放送における１３〜６２ｃｈ）からチャンネルスキャンによって見つけ出した上で、見つけ出された受信可能な放送局をプリセットボタンに対応付けて登録するプリセットが行われていた。このプリセットは、通常は、初めてデジタル放送受信装置を使用する場合における初期設定において行われるようになっていた。
【０００３】
具体的には、プリセットにおいては、放送局に割り当てられている物理チャンネルの識別情報（例えば、チャンネル番号や周波数）および放送局の識別情報（例えば、放送局名等）を、プリセットボタンの識別情報（例えば、プリセットボタンの番号）と対応付けてプリセット情報としてデジタル放送受信装置の記憶部に記録するようになっていた。
【０００４】
そして、このようなプリセットが行われたプリセットボタンを操作することによって、当該プリセットボタンに対応付けてプリセット（登録）されている放送局を直ちに選局して当該放送局の放送内容をすみやかに視聴することが可能とされていた。
【０００５】
ところで、この種のデジタル放送受信装置は、移動体に搭載される構成上、移動体の移動にともなって、現在視聴（再生）中の放送内容に対応する放送局（以下、視聴局と称する）の放送エリア外となり、視聴局の放送内容を受信（視聴）できなくなる場合が珍しくない。
【０００６】
図５は、このような場合の一例として、互いに異なるエリアＡおよびエリアＢにそれぞれ対応するチャンネル割り当て欄を示したものである。図５に示すように、エリアＡのチャンネル割り当て欄は、デジタル放送受信装置を搭載した移動体（車両等）がエリアＡ内に位置している際に、複数の物理チャンネルのうちの所定の物理チャンネルが割り当てられているエリアＡ内において受信可能な各放送局が、所定の番号のプリセットボタンにそれぞれ対応付けてプリセットされている状態を示している。具体的には、同欄は、対応する物理チャンネルごとのマス目に分割されており、放送局がプリセットされているマス目には、該当するプリセットボタンの番号が付されているとともに、放送局ごとに異なる模様のハッチングが施されている。より具体的には、図５においては、地上波デジタル放送の１３〜６２ｃｈのうち、エリアＡ内において１３、１４、１６、１８、２０および２２ｃｈの各物理チャンネルが割り当てられている各放送局が、それぞれに対応する番号のプリセットボタン（１、２、４〜６および８番）に対応付けてプリセットされている。
【０００７】
そして、このような状態から、移動体がエリアＡを出てエリアＢに入った場合には、図５中のエリアＢのチャンネル割り当て欄に示すように、エリアＢ内においては、受信可能な放送局がエリアＡ内とは異なるようになる。ここで、エリアＢのチャンネル割り当て欄におけるハッチングが施されている各マス目のうち、エリアＡのチャンネル割り当て欄において同模様のハッチングが施されているマス目に対して物理チャンネルが異なるものは、当該同模様のハッチングが施されているマス目に該当するエリアＡ側の放送局と同系列の放送局すなわち系列局を示している。一方、エリアＢのチャンネル割り当て欄におけるハッチングが施されている各マス目のうち、エリアＡのチャンネル割り当て欄において同模様のハッチングが施されているマス目に対して物理チャンネルが同一のものは、当該同模様のハッチングが施されているマス目に該当するエリアＡ側の放送局と同一局を示している。例えば、エリアＢ内においては、エリアＡ内において１８ｃｈが割り当てられている放送局の系列局に、２４ｃｈが割り当てられている。すなわち、エリアＡ内において１８ｃｈで放送されている放送内容と同一の放送内容は、エリアＢ内において２４ｃｈで放送されることになる。一方、エリアＡ内において１３ｃｈで放送されている放送内容と同一の放送内容は、エリアＢ内においても引き続き同チャンネル同放送局で放送されることになる。
【０００８】
このような例において、例えば、ユーザがエリアＡ内において４番のプリセットボタンを操作して、これに対応する１８ｃｈが割り当てられているプリセット済みの放送局を視聴局として放送番組を視聴している状態から、移動体の移動にともなってエリアＢ内に入った場合には、４番のプリセットボタンに対応付けられたプリセット情報が実体をともなわないものとなる。すなわち、エリアＢ内においては、エリアＡ内での視聴局は放送エリア外となっているため、４番のプリセットボタンを選択したままではエリアＡ内での視聴局と同内容の放送番組を視聴し続けることはできない。図５の例においては、エリアＡ内において２番のプリセットボタンに対応付けてプリセットされた１３ｃｈが割り当てられている放送局の放送番組と同内容の放送番組のみを、エリアＢ内において同番号のプリセットボタンによって視聴できることになる。
【０００９】
そこで、このような放送エリア外への移動体の移動に起因する問題に対処すべく、従来から、デジタル放送受信装置においては、移動体の移動によって視聴局が受信不可能となった場合に、当該視聴局に対応する受信可能な系列局をサーチすることによって、現在視聴中の放送内容と同一の放送内容を引き続き視聴可能とすることが行われていた。
【００１０】
図５の例においては、エリアＡ内において視聴局に割り当てられていた１８ｃｈを始点として、受信可能な系列局をチャンネル番号順（昇順）にサーチしていき、系列局（エリアＢ内において２４ｃｈが割り当てられている放送局）が見つかった時点でサーチを終了する。なお、当該系列局が見つかった場合には、当該系列局を視聴局に代えて視聴局と同番号のプリセットボタンに対応付けて新たにプリセット（更新登録）する。
【００１１】
図６は、このような系列局のサーチおよび系列局のプリセットが完了した後のエリアＢのチャンネル割り当て欄を示している。図６に示すように、エリアＢ内においては、エリアＡに対して同チャンネル同局の関係となる１３ｃｈが割り当てられている放送局と、系列局のサーチによって新たにプリセットされた２４ｃｈが割り当てられている放送局とを、引き続き同番号のプリセットボタンによって視聴できることになる。
【００１２】
このような系列局のサーチを行うデジタル放送受信装置に関する従来技術としては、これまでにも、例えば、特許文献１および特許文献２に示すような技術が提案されていた。
【先行技術文献】
【特許文献】
【００１３】
【特許文献１】特開２００８−１４８１９７号公報
【特許文献２】特開２００８−２６３５０４号公報
【発明の概要】
【発明が解決しようとする課題】
【００１４】
ところで、前述のように、視聴局が放送エリア外（受信不可能）となる場合には、視聴局以外のプリセット済みの放送局についても放送エリア外となる可能性が高い。
【００１５】
しかるに、従来のデジタル放送受信装置は、視聴局の系列局のみを、視聴局が受信不可能となった際におけるサーチ対象としており、視聴局以外のプリセット済みの他局については、ユーザが、該当するプリセットボタンの操作による当該他局へのチャンネル切り替えを行った際に当該他局が受信不可能であることを確認した上で、当該他局の系列局のサーチを指示してはじめて、系列局のサーチを行うようになっていた。
【００１６】
この結果、視聴局以外のプリセット済みの放送局については、放送エリア外において系列局を迅速に選局することができないといった問題が生じていた。
【００１７】
そこで、本発明は、このような問題点に鑑みなされたものであり、放送内容を再生中の放送局以外のプリセット済みの放送局についても、放送エリア外において系列局を迅速に選局することができるデジタル放送受信装置を提供することを目的とするものである。
【課題を解決するための手段】
【００１８】
前述した目的を達成するため、本発明に係るデジタル放送受信装置は、移動体に搭載され、選択的な操作が可能とされた複数のプリセットボタンと、所定の複数の物理チャンネルにおける該当する物理チャンネルが割り当てられた受信可能な放送局を、前記プリセットボタンに対応付けて登録するプリセット手段と、このプリセット手段によって登録された前記放送局を、この放送局が対応付けられた前記プリセットボタンの操作に応じて選局する選局手段と、この選局手段によって選局された前記放送局から受信した当該放送局の放送内容を再生する再生手段と、この再生手段による再生中の放送内容に対応する第１の放送局が受信不可能となった場合に、前記複数の物理チャンネルの中から、前記第１の放送局と同系列の受信可能な第２の放送局を、前記第１の放送局の放送内容の再生中に前記第１の放送局に割り当てられていた第１の物理チャンネルを始点としてチャンネル番号順にサーチし、前記第２の放送局が見つかった場合にはその時点で前記サーチを終了する第１の系列局サーチ手段と、この第１の系列局サーチ手段によって前記第２の放送局が見つけられた場合に、前記プリセット手段に対して、前記第２の放送局を、前記複数のプリセットボタンにおける前記第１の放送局の放送内容の再生中に前記第１の放送局が対応付けて登録されていた第１のプリセットボタンに対応付けて登録させるための制御を行うプリセット制御手段とを備えたデジタル放送受信装置であって、前記第１の放送局の放送内容の再生中に前記複数のプリセットボタンにおける前記第１のプリセットボタン以外のプリセットボタンに対応付けて登録されていた少なくとも１つの第３の放送局があった場合に、前記第２の放送局のサーチ期間中に、前記第３の放送局と同系列の受信可能な第４の放送局を、前記第２の放送局のサーチ先と同一の前記物理チャンネルをサーチ先として、前記第２の放送局のサーチと並行して前記チャンネル番号順にサーチする第２の系列局サーチ手段を備え、前記プリセット制御手段は、前記第２の系列局サーチ手段によって前記第４の放送局が見つけられた場合には、前記プリセット手段に対して、前記第４の放送局を、前記第３の放送局が対応付けて登録されていた前記第１のプリセットボタン以外のプリセットボタンに対応付けて登録させるための制御を行うことを特徴としている。
【００１９】
そして、このような構成によれば、放送内容を再生中の第１の放送局が受信不可能となった場合には、第１の放送局の系列局である第２の放送局だけでなく、第１の放送局以外のプリセット済みの第３の放送局の系列局である第４の放送局もサーチして、第３の放送局が対応付けられていたプリセットボタンに新たに対応付けてプリセットすることができるので、放送内容を再生中の放送局以外のプリセット済みの放送局についても、放送エリア外において系列局を迅速に選局することができる。
【００２０】
また、前記第２の系列局サーチ手段は、前記第２の放送局のサーチ期間中に、前記複数の物理チャンネルのすべてをサーチ先とした前記第４の放送局のサーチが完了しなかった場合には、前記第２の放送局の放送内容の再生開始後における当該放送内容の所定の切り替わり時点からの所定期間中に、前記第４の放送局を、前記複数の物理チャンネルにおける前記第４の放送局のサーチが未実行の残余の物理チャンネルをサーチ先として、前記第２の放送局に割り当てられている第２の物理チャンネルの次のチャンネル番号に該当する第３の物理チャンネルを始点としてチャンネル番号順に再度サーチすることが可能とされていてもよい。
【００２１】
そして、このような構成によれば、第２の放送局のサーチ期間後も、この期間中における第４の放送局のサーチが行われなかった残余の物理チャンネルをサーチ先とした第４の放送局をサーチするための新たな機会を、第２の放送局の放送内容の放送時間への影響が少ない期間に設けることができるので、第２の放送局の放送内容の再生品位を維持しつつ第４の放送局が見つかる可能性を高めることができる。
【００２２】
さらに、前記第２の系列局サーチ手段は、前記第２の放送局の放送内容の再生開始後の最初の前記所定期間中に、前記残余の物理チャンネルのすべてをサーチ先とした前記第４の放送局のサーチが完了しなかった場合には、前記残余の物理チャンネルのすべてをサーチ先とした前記第４の放送局のサーチが完了するまで、前記最初の所定期間の後の新たな前記所定期間の度に、前記第４の放送局を、前記残余の物理チャンネルにおける前記第４の放送局のサーチが未実行の更に残余の物理チャンネルをサーチ先として、前回の前記所定期間中の前記第４の放送局のサーチにおける最後のサーチ先となった第４の物理チャンネルの次のチャンネル番号に該当する第５の物理チャンネルを始点としてチャンネル番号順に再度サーチする処理を繰り返すことが可能とされていてもよい。
【００２３】
そして、このような構成によれば、第２の放送局のサーチの期間中における第４の放送局のサーチが行われなかった残余の物理チャンネルのすべてをサーチ先とした第４の放送局のサーチを、第２の放送局の放送内容の放送時間への影響が少ない複数の期間に亘って断続的に繰り返すことができるので、第２の放送局の放送内容の再生品位を維持しつつ第４の放送局が見つかる可能性を更に高めることができる。
【００２４】
さらにまた、前記切り替わり時点は、前記第２の放送局の放送番組からＣＭへの切り替わり時点を含み、前記ＣＭへの切り替わり時点に対応する前記所定期間は、前記ＣＭの放送期間とされていてもよい。
【００２５】
そして、このような構成によれば、第２の放送局のサーチ期間後における第４の放送局をサーチする新たな機会を、第２の放送局の放送番組の放送時間と抵触しない期間に設けることができるので、第２の放送局の放送番組の再生品位を確実に維持することができる。
【発明の効果】
【００２６】
本発明によれば、放送内容を再生中の放送局以外のプリセット済みの放送局についても、放送エリア外において系列局を迅速に選局することができる。
【図面の簡単な説明】
【００２７】
【図１】本発明に係るデジタル放送受信装置の実施形態を示す構成図
【図２】本発明に係るデジタル放送受信装置の実施形態において、プリセットボタンを示す模式図
【図３】本発明に係るデジタル放送受信装置の実施形態において、プリセット情報を示す概念図
【図４】本発明に係るデジタル放送受信装置の実施形態を示す工程図
【図５】エリアに応じたチャンネルの割り当て状態を示す概念図
【図６】従来の系列局サーチの結果を示す概念図
【発明を実施するための形態】
【００２８】
以下、本発明に係るデジタル放送受信装置の実施形態について、図１乃至図４を参照して説明する。
【００２９】
本実施形態におけるデジタル放送受信装置は、車両等の移動体に搭載されるようになっている。なお、デジタル放送受信装置を車両に搭載する場合には、ナビゲーション装置等の車載器と一体に構成してもよい。
【００３０】
図１に示すように、本実施形態におけるデジタル放送受信装置１は、アンテナ２が接続された選局手段としてのチューナ３を有しており、このチューナ３は、アンテナ２を介して受信された地上波デジタル放送の電波から、選局した放送局の周波数に該当する信号を抽出して後段に出力するようになっている。なお、放送局の選局は、後述するプリセットのためのチャンネルスキャンを行う場合、プリセットボタンを操作した場合および系列局のサーチを行う場合等の種々の場合に実行される。
【００３１】
また、図１に示すように、チューナ３の後段には、復調部４が接続されており、この復調部４には、チューナ３から出力された信号が入力されるようになっている。そして、復調部４は、入力された信号をＯＦＤＭ復調することによってトランスポートストリームを取得し、取得されたトランスポートストリームを後段に出力するようになっている。
【００３２】
さらに、図１に示すように、復調部４の後段には、誤り訂正部５が接続されており、この誤り訂正部５には、復調部４から出力されたトランスポートストリームが入力されるようになっている。そして、誤り訂正部５は、入力されたトランスポートストリームを、必要に応じた公知の誤り訂正を行った上で後段に出力するようになっている。
【００３３】
さらにまた、図１に示すように、誤り訂正部５の後段には、デマルチプレクサ部６が接続されており、このデマルチプレクサ部６には、誤り訂正部５から出力されたトランスポートストリームが入力されるようになっている。そして、デマルチプレクサ部６は、入力されたトランスポートストリームの多重化を解除することによって、映像ストリームおよび音声ストリームとともに、番組関連情報を取得するようになっている。番組関連情報は、ＰＳＩ（番組特定情報：Program Specific Information）／ＳＩ（Service Information）であってもよい。
【００３４】
また、図１に示すように、デマルチプレクサ部６の後段には、ビデオデコーダ７およびオーディオデコーダ８が接続されており、ビデオデコーダ７には、デマルチプレクサ部６から出力された映像ストリームが、オーディオデコーダ８には、デマルチプレクサ部６から出力された音声ストリームが、それぞれ入力されるようになっている。そして、ビデオデコーダ７は、入力された映像ストリームをデコードして映像信号とし、この映像信号を画像合成部９を介してディスプレイ１０に出力するようになっている。また、オーディオデコーダ８は、入力された音声ストリームをデコードして音声信号とし、この音声信号をスピーカ１１に出力するようになっている。このようにして、選局された放送局の放送内容（番組やＣＭ）の再生（表示／音声出力）が行われるようになっている。なお、復調部４以後の構成部４〜１１は、再生手段を構成している。
【００３５】
さらに、図１に示すように、デジタル放送受信装置１は、操作画面描画部１２を有しており、この操作画面描画部１２は、地上波デジタル放送の視聴に関する種々の操作を行うための操作画面を、画像合成部９を介してディスプレイ１０に表示するようになっている。操作画面の中には、放送内容の再生中に放送映像と合成した状態で表示されるものもある。
【００３６】
このような操作画面の１つに、図２に示すような各番号（１〜１２番）のプリセットボタンＰＢが配置された画面１３がある。この図２の画面１３においては、放送映像Ｉも表示されている。各プリセットボタンＰＢは、タッチパネルやリモコン等の不図示の操作手段によって選択的に操作することが可能とされている。
【００３７】
さらにまた、図１に示すように、デジタル放送受信装置１は、選局制御部１４を有しており、この選局制御部１４は、チューナ３に対して種々の選局の制御を行うようになっている。その１つとして、選局制御部１４は、チューナ３に対して、移動体が位置されている地域において受信可能な放送局を見つけ出すチャンネルスキャンのための選局制御を行うようになっている。この選局制御にしたがって、チューナ３は、複数の物理チャンネル（１３〜６２ｃｈ）をチャンネル番号の昇順に順次選局（スキャン）して行き、各物理チャンネルに割り当てられている放送局が見つかった場合には、これをその都度抽出するようになっている。そして、選局制御部１４は、例えば、抽出された放送局の受信電界強度をチューナ３から取得して、取得された受信電界強度に基づいて、抽出された放送局が受信可能であるか否かを逐次判定することで、受信可能な放送局を見つけ出すようになっている。このとき、選局制御部１４は、受信可能な放送局の具体的な情報を、デマルチプレクサ部６から番組関連情報として取得することができる。その他の選局制御の態様については後述する。
【００３８】
また、図１に示すように、デジタル放送受信装置１は、プリセット手段としてのプリセット部１５を有している。このプリセット部１５は、チャンネルスキャンによって見つけ出された受信可能な放送局を、プリセットボタンＰＢに対応付けて登録するプリセットを行うようになっている。このプリセットは、例えば、図３に示すように、プリセットボタンＰＢの番号、放送局に割り当てられている物理チャンネル（周波数でもよい）および放送局名が互いに対応付けられたプリセット情報を、図１に示すプリセット情報記憶部１６に記録することによって行うようになっている。なお、放送局名や物理チャンネルは、選局制御部１４によって取得された番組関連情報から抽出すればよい。また、放送局をどの番号のプリセットボタンに対応付けてプリセットするかについては、番組関連情報に含まれているプリセットボタンの番号を指定する情報や、ユーザ操作に基づいて決定すればよい。
【００３９】
以上のようなチャンネルスキャンおよびこの結果に基づいたプリセットは、初期設定の際の設定案内に応じた画面操作に応じて行うようにしてもよい。
【００４０】
さらに、本実施形態においては、このようなプリセット部１５によるプリセットが行われた後に、ユーザがプリセットボタンＰＢを操作すると、選局制御部１４は、プリセット情報記憶部１６から、操作されたプリセットボタンＰＢの番号に該当するプリセット情報を読み出すようになっている。そして、選局制御部１４は、読み出されたプリセット情報に該当する物理チャンネルが割り当てられている放送局を選局するように、チューナ３に対する選局制御を行うようになっている。この選局制御にしたがって、チューナ３は、操作されたプリセットボタンＰＢに対応付けられた放送局を選局するようになっている。これにより、プリセットボタンＰＢに対応付けられた放送局の放送信号がチューナ３によって受信され、その放送内容が、復調、誤り訂正、デマルチプレクスおよびデコードを経て再生（表示／音声出力）されることになる。
【００４１】
さらにまた、本実施形態において、選局制御部１４およびチューナ３は、第１の系列局サーチ手段として機能するようになっている。すなわち、選局制御部１４は、前述のようにしてプリセットボタンＰＢの操作によって選局された第１の放送局としての放送内容を再生中の視聴局が受信不可能となったことを、例えば、チューナ３から取得した当該視聴局の受信電界強度が閾値未満となったことに基づいて検知するようになっている。そして、この場合に、選局制御部１４は、チューナ３に対する選局制御によって、各物理チャンネル（１３〜６２ｃｈ）の中から、視聴局と同系列の受信可能な系列局（第２の放送局）をサーチするようになっている。この系列局（以下、視聴局系列局と称する）のサーチ（以下、第１の系列局サーチと称する）は、視聴局の放送内容の再生中に視聴局に割り当てられていた物理チャンネル（第１の物理チャンネル）を始点として、チャンネル番号の昇順に行うようになっている。また、第１の系列局サーチにおいては、チューナ３によって順次選局される放送局の番組関連情報を、視聴局のプリセット情報と比較することによって、放送局が視聴局の系列局であるか否かを判定するようになっている。このとき、系列局が受信可能であることについては、系列局の受信電界強度が閾値以上であることに基づいて判別すればよい。そして、このような第１の系列局サーチによって視聴局系列局が見つかった場合には、選局制御部１４は、その時点で第１の系列局サーチを終了するようになっている。なお、視聴局系列局が見つからない場合においても、すべての物理チャンネルをサーチ先とした第１の系列局サーチの完了が検出された場合には、第１の系列局サーチを終了すればよい。
【００４２】
また、図１に示すように、デジタル放送受信装置１は、プリセット制御手段としてのプリセット制御部１７を有している。このプリセット制御部１７は、第１の系列局サーチによって視聴局系列局が見つかった場合には、プリセット部１５に対して、視聴局系列局を、複数のプリセットボタンＰＢにおける視聴局の放送内容の再生中に視聴局が対応付けてプリセットされていたプリセットボタンＰＢ（第１のプリセットボタン）に対応付けてプリセットさせるための制御を行うようになっている。このような制御が行われた場合には、プリセット部１５は、視聴局が対応付けられていたプリセットボタンＰＢに、視聴局に代えて視聴局系列局を対応付けてプリセットするようになっている。この際のプリセットは、当初のプリセットの場合と同様に視聴局系列局に関する所定のプリセット情報（図３参照）を、プリセット情報記憶部１６に更新記録することによって行えばよい。
【００４３】
そして、以上のような構成を備えた上で、更に、デジタル放送受信装置１は、本実施形態に特有の構成を備えている。
【００４４】
すなわち、本実施形態において、選局制御部１４およびチューナ３は、第２の系列局サーチ手段としても機能するようになっている。具体的には、選局制御部１４は、視聴局の放送内容の再生中に、視聴局が対応付けてプリセットされていたプリセットボタンＰＢ以外のプリセットボタンＰＢに対応付けてプリセットされていた第３の放送局としての少なくとも１つの放送局（以下、非視聴登録局と称する）があった場合には、第１の系列局サーチの期間中に、チューナ３に対する選局制御によって第２の系列局サーチを行うようになっている。ただし、第２の系列局サーチとは、非視聴登録局に対応する受信可能な系列局（第４の放送局）のサーチのことをいう（以下、同様）。また、選局制御部１４は、非視聴登録局の存在を、プリセット情報によって確認することができる。
【００４５】
ここで、第２の系列局サーチは、第１の系列局サーチにおけるサーチ先と同一の物理チャンネルをサーチ先として、第１の系列局サーチと並行してチャンネル番号の昇順に行うようになっている。また、第２の系列局サーチは、第１の系列局サーチと同様の要領で、非視聴登録局のプリセット情報と選局された放送局の番組関連情報との比較および選局された放送局の受信電界強度等に基づいて行うようになっている。このような第１の系列局サーチの期間中における第２の系列局サーチは、例えば、視聴局が受信不可能となったことを契機として第１の系列局サーチと同時に開始した後に、第１の系列局サーチの終了と同時に終了するようになっている。ただし、第１の系列局サーチの終了前にすべての非視聴登録局に対応する受信可能な系列局（以下、非視聴登録局系列局と称する）が見つかった場合には、その時点で第２の系列局サーチを終了してもよい。
【００４６】
そして、このような第２の系列局サーチによって非視聴登録局系列局が見つかった場合には、プリセット制御部１７は、プリセット部１５に対して、非視聴登録局系列局をこれに対応する非視聴登録局が対応付けてプリセットされていたプリセットボタンＰＢ（第１のプリセットボタン以外のプリセットボタン）に対応付けてプリセットさせるための制御を行うようになっている。このような制御が行われた場合には、プリセット部１５は、非視聴登録局が対応付けてプリセットされていたプリセットボタンＰＢに、非視聴登録局に代えて非視聴登録局系列局を対応付けてプリセットするようになっている。
【００４７】
上記構成に加えて、更に、本実施形態において、選局制御部１４およびチューナ３は、第１の系列局サーチの期間中に、複数の物理チャンネル（１３〜６２ｃｈ）のすべてをサーチ先とした第２の系列局サーチが完了しなかった場合には、視聴局系列局の放送内容の再生開始後における当該放送内容の所定の切り替わり時点からの所定期間（以下、サーチ再開期間と称する）中に、第２の系列局サーチを再開させるようになっている。ただし、第１の系列局サーチの期間中における第２の系列局サーチによってすべての非視聴登録局系列局が見つかった場合には、第２の系列局サーチを再開させなくてもよい。
【００４８】
ここで、サーチ再開期間中における第２の系列局サーチは、複数の物理チャンネル（１３〜６２ｃｈ）における第２の系列局サーチが未実行の残余の物理チャンネルをサーチ先として、視聴局系列局に割り当てられている物理チャンネル（第２の物理チャンネル）の次のチャンネル番号に該当する物理チャンネル（第３の物理チャンネル）を始点としてチャンネル番号の昇順に行うようになっている。このようなサーチ再開期間中における第２の系列局サーチは、視聴局系列局の放送内容の切り替わりが検出されたことを契機としてサーチ再開期間の開始と同時に開始した後に、当該期間の終了と同時に終了するようになっている。ただし、サーチ再開期間の終了前に残余のすべての非視聴登録局系列局が見つかった場合または残余の物理チャンネルのすべてをサーチ先としたサーチが完了した場合には、その時点で当該第２の系列局サーチを終了してもよい。なお、選局制御部１４は、視聴局系列局の放送内容の切り替わりを、番組関連情報に基づいて検出してもよい。この切り替わりの一例としては、視聴局系列局の放送番組からＣＭへの切り替わりがあり、この場合には、当該ＣＭへの切り替わり（ＣＭの開始）から当該放送番組への復帰（ＣＭの終了）までの時間すなわちＣＭの放送期間をサーチ再開期間とすればよい。ただし、選局制御部１４は、ＣＭの開始については、字幕有りと字幕無しとの切り替わりや二カ国語放送とステレオ／モノラル放送との切り替わりを放送波に基づいて検出することによって検知してもよい。あるいは、ＥＰＧ（電子番組ガイド）に基づいて放送番組の開始時刻の所定時間前（例えば、１５秒〜１分前）の時刻を把握しておき、この把握された時刻になったことをＣＭの開始と擬制してもよい。さらに、将来的に放送波にＣＭの開始を示す情報が追加されることがあれば、そのような情報を取得することによってＣＭの開始を検知してもよい。一方、ＣＭの終了については、ＣＭの放送時間が最低１５秒程度であるので、前述のようにして検知あるいは擬制されたＣＭの開始から１５秒が経過したことをＣＭの終了と擬制してもよい。ただし、この場合に、ユーザ設定によって１５秒よりも長い時間（例えば、３０秒）を設定してもよい。また、将来的に放送波にＣＭの終了を示す情報が追加されることがあれば、そのような情報を取得することによってＣＭの終了を検知してもよい。この他にも、視聴局系列局の放送内容の切り替わりとしては、前番組から次番組へのＣＭを挟まない切り替わりを採用することができる。この場合には、次番組の開始時点から所定時間（例えば、３０秒）をサーチ再開期間とすることができる。なお、このようなサーチ再開期間中における第２の系列局サーチによって見つかった非視聴登録局系列局のその後の取り扱いについては、第１の系列局サーチの期間中における第２の系列局サーチによって見つかった非視聴登録局系列局と同様（該当するプリセットボタンに対応付けてプリセットする）である。
【００４９】
上記構成に加えて、更に、本実施形態において、選局制御部１４およびチューナ３は、視聴局系列局の放送内容の再生開始後の最初のサーチ再開期間中に、前記残余の物理チャンネルのすべてをサーチ先とした第２の系列局サーチが完了しなかった場合には、前記残余の物理チャンネルのすべてをサーチ先とした第２の系列局サーチが完了するまで、第２の系列局サーチの再開を繰り返すようになっている。ただし、サーチ再開期間中にすべての非視聴登録局系列局が見つかった場合には、残余のサーチ先がある場合であってもその時点で第２の系列局サーチを終了してもよい。
【００５０】
ここで、前記繰り返し再開される第２の系列局サーチは、最初のサーチ再開期間の後の新たなサーチ再開期間の度に、前記残余の物理チャンネルにおける前回までの第２の系列局サーチが未実行の更に残余の物理チャンネルをサーチ先として、前回のサーチ再開期間中の第２の系列局サーチにおける最後のサーチ先となった物理チャンネル（第４の物理チャンネル）の次のチャンネル番号に該当する物理チャンネル（第５の物理チャンネル）を始点としてチャンネル番号順に行うようになっている。このような第２回目以降のサーチ再開期間中における第２の系列局サーチによって見つかった非視聴登録局系列局のその後の取り扱いについては、第１の系列局サーチの期間中における第２の系列局サーチによって見つかった非視聴登録局系列局と同様である。
【００５１】
次に、図４は、デジタル放送受信装置１の動作の具体例を、図５および図６と同様のチャンネル割り当て欄によって示したものである。なお、図４のチャンネル割り当て欄の詳細は、図５および図６に示したものと基本的に同様であるので、本実施形態に特有の部分以外は説明を割愛もしくは簡略化する。
【００５２】
まず、図４のステップ１（ＳＴ１）においては、移動体がエリアＡに位置しており、図５に示したものと同様の放送局に対する物理チャンネルの割り当てがなされている。このとき、プリセット部１５によって４番のプリセットボタンに対応付けてプリセットされた１８ｃｈの放送局が、視聴局として放送内容を視聴されているものとする。したがって、ステップ１（ＳＴ１）おいて４番以外のプリセットボタン（１、２、５、６および８番）に対応付けてプリセットされた放送局は、非視聴登録局となる。
【００５３】
次いで、移動体がエリアＡを出てエリアＢに入ると、ステップ２（ＳＴ２）に示すように、視聴局が放送領域外となって受信不可能となる。このとき、２番のプリセットボタンに対応付けてプリセットされた１３ｃｈの非視聴登録局以外の非視聴登録局についても、視聴局と同様に受信不可能となる。
【００５４】
次いで、ステップ３（ＳＴ３）において、選局制御部１４およびチューナ３により、視聴局が受信不可能となったことを契機として、前述した要領で第１の系列局サーチおよび第２の系列局サーチを開始し、視聴局系列局が見つかった時点で両サーチを終了する。なお、図４の例では、両サーチは、視聴局に対応する１８ｃｈを始点としてチャンネル番号の昇順に行う。
【００５５】
次いで、ステップ４（ＳＴ４）において、プリセット制御部１７の制御により、ステップ３（ＳＴ３）において見つかった視聴局系列局および非視聴登録局系列局をそれぞれに該当する番号のプリセットボタンに対応付けてプリセットする。ここで、ステップ４（ＳＴ４）から分かるように、図４の例における第１の系列局サーチおよび第２の系列局サーチは、視聴局に対応する１８ｃｈから視聴局系列局に対応する２４ｃｈまでの各物理チャンネルをサーチ先として行われたものである。そして、この間の各物理チャンネルの中には、エリアＡにおいて１６ｃｈが割り当てられていた非視聴登録局に対応する１９ｃｈの非視聴登録局系列局と、エリアＡにおいて２０ｃｈが割り当てられていた非視聴登録局に対応する２１ｃｈの非視聴登録局系列局とが存在する。したがって、ステップ３（ＳＴ３）の第２の系列局サーチにおいては、これら２つの非視聴登録局系列局が見つけられ、ステップ４（ＳＴ４）においては、図示の通り、これら２つの非視聴登録局系列局がそれぞれに対応する非視聴登録局と同番号のプリセットボタン（６番、８番）にそれぞれ対応付けて新たにプリセットされている。なお、非視聴登録局系列局のプリセットは、第１の系列局サーチの完了を待って行うようにしてもよいし、あるいは、見つかった時点でその都度行うようにしてもよい。
【００５６】
ここで、ステップ３（ＳＴ３）における第２の系列局サーチは、すべての物理チャンネル（１３〜６２ｃｈ）をサーチ先として行われたものではないため、第２の系列局サーチが未実行の残余の物理チャンネル（２５〜６２、１３〜１７ｃｈ）が存在する。したがって、エリアＢ内において視聴局系列局の放送番組の視聴を開始した後に、放送番組からＣＭへの切り替えが放送波に基づいて初めて検出された場合には、ステップ５（ＳＴ５）に示すように、選局制御部１４およびチューナ３により、最初のサーチ再開期間としての第１回目のＣＭ期間中の第２の系列局サーチを行う。このステップ５（ＳＴ５）における第２の系列局サーチは、ステップ３（ＳＴ３）における最後のサーチ先となった２４ｃｈの次の２５ｃｈを始点としてチャンネル番号の昇順に行う。そして、第１回目のＣＭ期間の終了が検出された場合には、ステップ５（ＳＴ５）における第２の系列局サーチを終了する。
【００５７】
次いで、ステップ６（ＳＴ６）において、プリセット制御部１７の制御により、ステップ５（ＳＴ５）において見つかった非視聴登録局系列局を、該当する番号のプリセットボタンに対応付けてプリセットする。ここで、ステップ６（ＳＴ６）から分かるように、ステップ５（ＳＴ５）の第２の系列局サーチにおいては、エリアＡにおいて２２ｃｈが割り当てられていた非視聴登録局に対応する２８ｃｈの非視聴登録局系列局が見つけられ、ステップ６（ＳＴ６）においては、図示の通り、この２８ｃｈの非視聴登録局系列局が、対応する非視聴登録局と同番号のプリセットボタン（５番）に対応付けて新たにプリセットされている。
【００５８】
ここで、ステップ５（ＳＴ５）における第２の系列局サーチは、ステップ３（ＳＴ３）における第２の系列局サーチが未実行の残余の物理チャンネル（２５〜６２、１３〜１７ｃｈ）のすべてをサーチ先として行われたものではないため、第２の系列局サーチが未実行の物理チャンネル（例えば、５１〜６２、１３〜１７ｃｈ）が残存する。また、エリアＡにおいて１４ｃｈが割り当てられていた非視聴登録局に対応する非視聴登録局系列局は未だ見つかっていない。
【００５９】
したがって、第１回目のＣＭ期間の終了後、視聴局系列局の放送番組の視聴を再開した後、放送番組からＣＭへの切り替えが再び検出された場合には、ステップ７（ＳＴ７）に示すように、選局制御部１４およびチューナ３により、第２回目のＣＭ期間中の第２の系列局サーチを行う。この第２回目のＣＭ期間中の第２の系列局サーチは、ステップ５（ＳＴ５）における最後のサーチ先となった物理チャンネル（例えば、５０ｃｈ）の次の物理チャンネル（例えば、５１ｃｈ）を始点としてチャンネル番号の昇順に行う。なお、この際に、サーチ先が６２ｃｈに達した場合には、先頭の１３ｃｈから昇順のサーチを続行する。そして、第２回目のＣＭ期間の終了が検出された場合には、ステップ７（ＳＴ７）における第２の系列局サーチを終了する。
【００６０】
次いで、ステップ８（ＳＴ８）において、プリセット制御部１７の制御により、ステップ７（ＳＴ７）において見つかった非視聴登録局系列局を、該当する番号のプリセットボタンに対応付けてプリセットする。ここで、ステップ８（ＳＴ８）から分かるように、ステップ７（ＳＴ７）のサーチにおいては、エリアＡにおいて１４ｃｈが割り当てられていた非視聴登録局に対応する１７ｃｈの非視聴登録局系列局が見つけられ、ステップ８（ＳＴ８）においては、図示の通り、この１７ｃｈの非視聴登録局系列局が、対応する非視聴登録局と同番号のプリセットボタン（１番）に対応付けて新たにプリセットされている。
【００６１】
このようにして、すべての非視聴登録局に対応する非視聴登録局系列局のプリセットを行うことができる。
【００６２】
以上述べたように、本実施形態によれば、視聴局が受信不可能となった場合には、視聴局系列局だけでなく、非視聴登録局系列局もサーチして、対応する非視聴登録局と同番号のプリセットボタンに対応付けて新たにプリセットすることができるので、非視聴登録局についても、放送エリア外において系列局を迅速に選局することができる。
【００６３】
なお、本発明は前述した実施の形態に限定されるものではなく、本発明の特徴を損なわない限度において種々変更することができる。
【００６４】
例えば、本発明は、地上波デジタル放送以外の公知のデジタルテレビ放送にも有効に適用することができる。
【００６５】
また、移動体としては、車両以外にも、例えば、携帯電話を適用することができる。
【符号の説明】
【００６６】
１  デジタル放送受信装置
３  チューナ
４  復調部
５  誤り訂正部
６  デマルチプレクサ部
７  ビデオデコーダ
８  オーディオデコーダ
９  画像合成部
１０  ディスプレイ
１１  スピーカ
１４  選局制御部
１５  プリセット部
【図１】
0005545657.tif 000002
【図２】
0005545657.tif 000003
【図３】
0005545657.tif 000004
【図４】
0005545657.tif 000005
【図５】
0005545657.tif 000006
【図６】
0005545657.tif 000007